【手続補正書】
【提出日】平成18年8月3日(2006.8.3)
【手続補正１】
【補正対象書類名】明細書
【補正対象項目名】特許請求の範囲
【補正方法】変更
【補正の内容】
【特許請求の範囲】
【請求項１】次を具備する、ベースバンド信号を中間周波数信号にコンバートするためのディジタル回路：
第１の周波数の第１の周期信号を供給するための信号源；
前記第１の周期信号から第２の周波数の第２の周期信号を供給するための周波数シンセサイザー手段；
前記第２の周期信号を使用してベースバンド信号をディジタル中間周波数信号にディジタル方式でアップコンバートするためのアップコンバート手段；及び
前記第１の周期信号を使用して前記ディジタル中間周波数信号をアナログ中間周波信号にコンバートするためのディジタル／アナログ・コンバータ手段。
【請求項２】前記信号源が電圧制御発振器を含む請求項１の発明。
【請求項３】前記周波数シンセサイザー手段がディジタル回路である、請求項１の発明。
【請求項４】前記周波数シンセサイザー手段がダイレクト・ディジタル・シンセサイザを含む、請求項３の発明。
【請求項５】前記アップコンバート手段が前記ベースバンド信号及び／又は前記中間周波数信号から望ましくない信号を取り除くためのディジタルフィルタを含む、請求項１の発明。
【請求項６】前記アップコンバート手段が第１及び第２のディジタル・ミキサを含む、請求項１の発明。
【請求項７】前記アップコンバート手段がディジタル自動利得制御回路を含む、請求項１の発明。
【請求項８】前記ディジタル／アナログ・コンバータ手段がデルタ−シグマ・ディジタル／アナログ・コンバータを含む、請求項１の発明。
【請求項９】前記デルタ−シグマ・ディジタル／アナログ・コンバータが２よりも大きな次数を有するデルタ−シグマ変調器を含む、請求項８の発明。
【請求項１０】前記デルタ−シグマ変調器が第６次デルタ−シグマ変調器である、請求項９の発明。
【請求項１１】前記デルタ−シグマ・ディジタル／アナログ・コンバータが低ビット・ディジタル／アナログ・コンバータを含む、請求項８の発明。
【請求項１２】前記ディジタル／アナログ・コンバータが１ビット・ディジタル／アナログ・コンバータである、請求項１１の発明。
【請求項１３】前記ダイレクト・ディジタル・シンセサイザーはプログラム可能なダイレクト・ディジタル・シンセサイザーである、請求項４の発明。
【請求項１４】下記を具備する、中間周波数信号をベースバンド信号にコンバートするためのディジタル回路：
第１の周波数の第１の周期信号を供給するための信号源；
前記第１の周期信号から第２の周波数の第２の周期信号を供給するための周波数シンセサイザー手段；
前記第２の周期信号を使用してアナログ中間周波数信号をディジタル・ベースバンド信号にディジタル方式でダウンコンバートするためのダウンコンバート手段；及び
前記第１の周期信号を使用して前記アナログ中間周波数信号をディジタル中間周波数信号にコンバートするためのアナログ／ディジタル・コンバータ手段。
【請求項１５】前記信号源が電圧制御発振器を含む請求項１４の発明。
【請求項１６】前記周波数シンセサイザー手段が周波数乗算器を含む、請求項１４の発明。
【請求項１７】前記周波数シンセサイザー手段がディジタル回路である、請求項１４の発明。
【請求項１８】前記周波数シンセサイザー手段がダイレクト・ディジタル・シンセサイザを含む、請求項１７の発明。
【請求項１９】前記ダウンコンバート手段がディジタル・ミキサを含む、請求項１４の発明。
【請求項２０】前記アナログ／ディジイタル・コンバータ手段がデルタ−シグマ・アナログ／ディジタル・コンバータを含む、請求項１４の発明。
【請求項２１】下記を具備する、トランシーバ：
受信回路；
送信回路；
前記受信回路及び前記送信回路に接続されたベースバンド・プロセッサ；
前記ベースバンド・プロセッサからのベースバンド信号をディジタル中間周波数信号にコンバートするための前記送信回路内のディジタル回路；及び
前記ディジタル中間周波数信号をアナログ中間周波数信号にコンバートするための前記送信回路内のデルタ−シグマ・ディジタル／アナログ・コンバータ。
【請求項２２】前記デルタ−シグマ・ディジタル／アナログ・コンバータに入力するため第１の周波数の第１の周期信号を供給するための信号源をさらに含む、請求項２１の発明。
【請求項２３】前記第１の周期信号を第２の周波数の第２の周期信号にコンバートし、前記第２の周期信号を前記ディジタル回路に入力するためのダイレクト・ディジタル・シンセサイザーをさらに含む、請求項２２の発明。
【請求項２４】下記を具備する、トランシーバ：
第１の参照信号に応じて第１の信号を第１の周波数から第２の周波数にディジタル方式でアップコンバートし、そしてそれに応じて第１のディジタル信号を供給するための第１の手段；
前記第２の周波数で前記第１のディジタル信号を第１のアナログ信号にコンバートするための第２の手段；
前記第１のアナログ信号を送信するための第３の手段；
第２のアナログ信号を受信するための第４の手段；
第２の参照信号に応じて前記第２のアナログ信号を第２のディジタル信号にディジタル方式でダウンコンバートするための第５の手段；及び
前記第１及び第２の参照信号を供給するための位相同期ループ。
【請求項２５】入力として前記局部発振器の出力を有し、そしてそれの出力として前記第１の参照信号を供給するダイレクト・ディジタル・シンセサイザをさらに含む、請求項２４の発明。
【請求項２６】入力として前記局部発振器の出力を有し、そしてそれの出力として前記第２の参照信号を供給するダイレクト・ディジタル・シンセサイザをさらに含む、請求項２４の発明。
【請求項２７】下記を具備する、トランシーバ：
第１の周波数の第１の周期信号を発生するための第１の手段；
前記第１の周期信号から第２の周波数の第２の信号をディジタル方式で発生する第２の手段；
前記トランシーバの送信回路又は受信回路において信号のディジタル／アナログ変換又はアナログ／ディジタル変換を実行するために前記第１の周期信号を使用するための第３の手段、前記第３の手段がデルタ−シグマ変調器を含む；及び
前記トランシーバ及び／又は前記受信器における追加回路のために前記第２の信号を使用するための第４の手段、前記追加回路がクロック信号又は参照周波数制御信号を要求し、前記クロック信号又は前記参照周波数制御信号は前記第２の信号により供給される。
【請求項２８】前記第１の手段が発振器を含む、請求項２７の発明。
【請求項２９】前記第２の手段がダイレクト・ディジタル・シンセサイザを含む、請求項２７の発明。
【請求項３０】前記第３の手段が低ビット・デルタ−シグマ・ディジタル／アナログ・コンバータを含む、請求項２７の発明。
【請求項３１】前記低ビット・デルタ−シグマ・ディジタル／アナログ・コンバータが１ビット・ディジタル／アナログ・コンバータである、請求項３０の発明。
【請求項３２】前記デルタ−シグマ変調器が第６次デルタ−シグマ変調器である、請求項２７の発明。
【請求項３３】下記を具備するトランシーバ：
第１の周波数の第１の周期信号を発生するための手段；
アナログ信号を受信するための手段、前記受信手段は前記受信されたアナログ信号をディジタル信号にコンバートするために前記第１の周期信号を利用するための手段を含む；
前記受信された信号をディジタル方式で処理し、そして第１の送信信号を供給するための手段；
前記第１の送信信号を送信するための手段、前記送信するための手段は前記第１の送信信号をディジタルからアナログにコンバートするために前記第１の周期信号を利用するための手段を含む、及び
前記送信するための手段及び／又は前記受信するための手段におけるディジタル回路を前記第１の周期信号で駆動するための手段。
【請求項３４】前記駆動するための手段が第１の周波数の前記第１の周期信号を第２の周波数の第２の周期信号にコンバートするためのダイレクト・ディジタル・シンセサイザを含み、前記第２の周期信号が前記ディジタル回路構成に含まれたディジタル回路に入力として供給される、請求項３３の発明。
【請求項３５】前記ディジタル回路がディジタル・ミキサである、請求項３４の発明。
【請求項３６】前記ディジタル回路が前記送信手段内の信号ミキシング回路による使用のため前記第１の周期信号から第２の周期信号を発生するためのダイレクト・ディジタル・シンセサイザを含む、請求項３３の発明。
【請求項３７】前記送信するための手段がデルタ−シグマ・ディジタル／アナログ・コンバータを含み、前記デルタ−シグマ・ディジタル／アナログ・コンバータが前記第１の周期信号を入力として有する、請求項３２の発明。
【請求項３８】前記デルタ−シグマ・ディジタル／アナログ・コンバータが低ビット・ディジタル／アナログ・コンバータ及びデルタ−シグマ変調器を含む、請求項３７の発明。
【請求項３９】前記低ビット・ディジタル／アナログ・コンバータが１ビット・ディジタル／アナログ・コンバータである、請求項３８の発明。
【請求項４０】前記デルタ−シグマ変調器が第６次デルタ−シグマ変調器である、請求項３８の発明。
【請求項４１】前記デルタ−シグマ変調器が大略次の利得：３／２，−３／４，１／８を持つ増幅器を含む、請求項４０の発明。
【請求項４２】前記送信するための手段が前記第１の送信信号の利得を調整するためのディジタル自動利得制御回路を含む、請求項３２の発明。
【請求項４３】前記自動利得制御回路の出力が前記デルタ−シグマ・アナログ／ディジタル・コンバータへの入力である、請求項４２の発明。
【請求項４４】前記送信するための手段が前記自動利得制御回路へ入力を供給するために、ディジタル・ローパスフィルタ，ディジタル・ミキサ，及びディジタル加算器を含む、請求項４３の発明。
【請求項４５】前記受信するための手段がデルタ−シグマ・アナログ／ディジタル・コンバータを含む、請求項３２の発明。
【請求項４６】前記受信するための手段が前記第１の周期信号を入力として受信し、そしてそれに応じて周波数調整された信号を供給する周波数乗算器を含む、請求項４５の発明。
【請求項４７】前記周波数調整された信号は前記第１の周期信号の周波数の約１／４の周波数を有する、請求項４６の発明。
【請求項４８】前記デルタ−シグマ・アナログ／ディジタル・コンバータが前記周波数調整された信号を入力として受信する、請求項４６の発明。
【請求項４９】前記発生するための手段が電圧制御発振器を含む、請求項３２の発明。
【請求項５０】前記処理するための手段がベースバンド・プロセッサを含む、請求項３２の発明。
【請求項５１】下記を具備する、高性能，効率的スペース及び効率的電力のトランシーバ：
無線周波数信号を送受信するためのアンテナ手段；
前記無線周波数信号を中間周波数信号に及びその逆に翻訳するための第１の翻訳手段；
前記中間周波数信号をベースバンド信号に及びその逆に翻訳するための第２の翻訳手段、前記第２の翻訳手段は単一の局部発振器を有する；
前記ベースバンド信号及び前記中間周波数信号から望ましくない信号を取り除くためのフィルタリング手段；
信号処理を容易にするために前記ベースバンド信号及び前記中間周波数信号の利得を調整するために前記フィルタリング手段と通信している利得制御手段；及び
所定のトランシーバ命令に従って前記ベースバンド信号を処理するための手段。
【請求項５２】前記第２の翻訳手段がディジタル・ミキシング回路と共に前記翻訳を実行する、請求項５１の発明。
【請求項５３】前記第２の翻訳手段が前記第１の局部発振器による出力とは異なる周波数のクロック信号を発生するためのダイレクト・ディジタル・シンセサイザを含む、請求項５２の発明。
【請求項５４】前記利得制御手段が前記ミキシング回路と通信しているディジタル自動利得制御回路を含む、請求項５１の発明。
【請求項５５】前記処理するための手段がセルラ電話ベースバンド・プロセッサである、請求項５１の発明。
【請求項５６】前記フィルタリング手段が送信バンドパスフィルタ，受信バンドパスフィルタ，及び少なくとも１つのローパスフィルタを含む、請求項５１の発明。
【請求項５７】前記第１の翻訳手段が第１の局部発振器を含む、請求項５１の発明。
【請求項５８】下記を具備する、高性能，効率的ハードウェアのトランシーバ：
受信信号を受信しそして送信信号を送信するためのアンテナ手段；
第１の周期信号を発生するための発振器手段；
送信される信号及び受信された信号を処理するための信号プロセッサ；
前記受信信号をベースバンド信号にコンバートするための入力として前記第１の周期信号を持つ第１のアナログ／ディジタル・コンバータを有している受信回路、前記ベースバンド信号は前記信号プロセッサに入力する；
前記信号プロセッサから受信した送信ベースバンド信号を中間周波数バンド信号とミキシングするためのミキシング回路を有している送信回路；
前記ミキシング回路をクロッキングするため前記第１の周期信号から第２の周期信号をシンセサイザするためのダイレクト・ディジタル・シンセサイザ；
前記中間周波数バンドの信号をアナログ信号にコンバートするための入力として前記第１の周期信号を有する前記送信回路中の第１のディジタル／アナログ・コンバータ；及び
前記中間周波数バンド信号を放送に適した周波数バンドに翻訳し、そしてそれに応じて前記送信信号を発生するための翻訳回路。
【請求項５９】下記を具備する、中間周波数バンドとベースバンドとの間で信号を翻訳するためのディジタル回路：
第１の周波数の第１の周期信号を供給するための局部発振器；
前記第１の周期信号を使用してアナログ信号をディジタル信号に及び／又はその逆にコンバートするためのデルタ−シグマ・コンバータ；
前記第１の周期信号に基づいて第２の周期信号を供給するためのダイレクト・ディジタル・シンセサイザ、前記第２の周期信号は第２の周波数を有する；及び
前記中間周波数バンドと前記第２の周期信号を使用している前記ベースバンドとの間で前記ディジタル信号及び／又は前記アナログ信号を翻訳するためのミキシング手段。
【請求項６０】下記の工程を含む、信号を送受信するための方法；
第１の参照信号に応じて第１の信号を第１の周波数から第２の周波数にディジタル方式でアップコンバートし、そしてそれに応じて第１のディジタル信号を供給する；
前記第１のディジタル信号を前記第２の周波数で第１のアナログ信号にコンバートする；
前記第１のアナログ信号を送信する；
第２のアナログ信号を受信する；
第２の参照信号に応じて前記第２のアナログ信号を第２のディジタル信号にディジタル方式でダウンコンバートする；及び
前記第１及び前記第２の参照信号を局部発振器経由で供給する。
【請求項６１】それの入力として前記局部発振器の出力を有するダイレクト・ディジタル・シンセサイザ経由で前記第１の参照信号を供給する工程をさらに含む請求項６０の発明。
【請求項６２】それの入力として前記局部発振器の出力を有するダイレクト・ディジタル・シンセサイザ経由で前記第２の参照信号を供給する工程をさらに含む請求項６０の発明。